(57)【要約】【課題】  携帯電話端末装置において、緊急連絡中であることを気付かれないようにする。【解決手段】  制御部１は、緊急事態モード設定キー６４が押されたことを検出したとき、予め記憶部５に設定されている緊急連絡先の電話番号を読み出し、その電話番号に発信すると共に、表示部７及びスピーカ９における発信状態の可視表示及び可聴表示を禁止する。緊急連絡先が応答して通話状態になると、マイク１０から入力された音声を緊急連絡先へ送信する送話パスを接続すると共に撮像素子１１及び映像信号処理部４を自動的に動作させる。緊急連絡先からの音声信号はスピーカ１０から出力されないようにする。操作部６のキー操作を無効にすると共にキー操作音がスピーカ１０から出力されないようにする。マイク１０から入力された音声と撮像素子で撮影された映像を緊急連絡先へ送信することは可能であるが、見かけ上は電源スイッチをオフにした状態と同じである。【選択図】        図１
2006074275.tif 000002
【特許請求の範囲】
【請求項１】
緊急事態モードに設定する設定手段と、該設定手段の出力に基づいて緊急連絡先に発呼し、該緊急連絡先からの応答に応じて送話手段を作動させると共に受話手段を不作動とする制御手段とを備えたことを特徴とする携帯電話端末装置。
【請求項２】
請求項１記載の携帯電話端末装置において、前記設定手段の出力に基づいてキー操作の操作音の出力を停止する手段を備えたことを特徴とする携帯電話端末装置。
【請求項３】
請求項１記載の携帯電話端末装置において、前記設定手段の出力に基づいて前記携帯電話端末装置の表示手段をオフ状態とする手段を備えたことを特徴とする携帯電話端末装置。
【請求項４】
請求項１記載の携帯電話端末装置において、前記設定手段の出力に基づいて回線切断キーの操作を無効にする手段を備えたことを特徴とする携帯電話端末装置。
【請求項５】
請求項１記載の携帯電話端末装置において、前記緊急連絡先から回線が切断されたことを検出したとき前記緊急連絡先へ再発信する手段を備えたことを特徴とする携帯電話端末装置。
【発明の詳細な説明】
【技術分野】
【０００１】
本発明は携帯電話端末装置に関し、特に緊急連絡を可能にした携帯電話端末装置に関する。
【背景技術】
【０００２】
子供や老人等が外出先で事故にあったとき、或いは犯罪に巻き込まれそうになったときに、自宅や警察等に簡単に緊急連絡を取ることのできる装置として、キー入力部の専用キーを押すことで、予めメモリに記憶されている緊急連絡先の電話番号を読み出し、自動的に緊急連絡先へ電話をかけるようにした緊急連絡機能付の携帯電話端末装置が提案されている（特許文献１参照）。
【特許文献１】特開平７−３２６３６８号公報
【発明の開示】
【発明が解決しようとする課題】
【０００３】
しかしながら、前記携帯電話システムでは、ユーザが拉致・誘拐等の犯罪に巻き込まれたような状況では、救済を要請する連絡を行っても、緊急連絡先との通話に犯人が気付き、携帯電話端末装置を犯人に取り上げられ、緊急連絡先への通話を切断されてしまう恐れがある。
【０００４】
本発明は、このような問題を解決するためになされたものであり、その目的は、緊急連絡機能付きの携帯電話端末装置において、緊急連絡中であることを気付かれないようにすることである。
【課題を解決するための手段】
【０００５】
請求項１に係る発明は、緊急事態モードに設定する設定手段と、該設定手段の出力に基づいて緊急連絡先に発呼し、該緊急連絡先からの応答に応じて送話手段を作動させると共に受話手段を不作動とする制御手段とを備えたことを特徴とする携帯電話端末装置である。
請求項２に係る発明は、請求項１記載の携帯電話端末装置において、前記設定手段の出力に基づいてキー操作の操作音の出力を停止する手段を備えたことを特徴とする携帯電話端末装置である。
請求項３に係る発明は、請求項１記載の携帯電話端末装置において、前記設定手段の出力に基づいて前記携帯電話端末装置の表示手段をオフ状態とする手段を備えたことを特徴とする携帯電話端末装置である。
請求項４に係る発明は、請求項１記載の携帯電話端末装置において、前記設定手段の出力に基づいて回線切断キーの操作を無効にする手段を備えたことを特徴とする携帯電話端末装置である。
請求項５に係る発明は、請求項１記載の携帯電話端末装置において、前記緊急連絡先から回線が切断されたことを検出したとき前記緊急連絡先へ再発信する手段を備えたことを特徴とする携帯電話端末装置である。
【発明の効果】
【０００６】
本発明に係る携帯電話端末装置によれば、緊急事態設定モードに設定された後は、送話は行うが受話は行わないため、緊急連絡中であることが他人に気付かれない。
【発明を実施するための最良の形態】
【０００７】
以下、本発明の実施形態について図面を参照して説明する。
図１に示されているように、本実施形態に係る携帯電話端末装置は、この装置全体の制御等を行う制御部１と、それぞれ制御部１に制御される音声信号処理部３及び映像信号処理部４を備えている。また、それぞれ制御部１に接続された送受信部２、記憶部５、操作部６及び表示部７を備えている。送受信部２にはアンテナ８が接続され、音声信号処理部３にはスピーカ９及びマイクロホン（以下、マイクという）１０が接続され、映像信号処理部４には撮像部１１が接続されている。
【０００８】
制御部１はマイクロコンピュータで構成されており、ＣＰＵ、ＲＯＭ及びＲＡＭを備えている。音声信号処理部３はマイク１０から入力された音声信号をデジタル化及び圧縮符号化して送受信部２へ送り、送受信部２から送られてくるデジタル化及び圧縮符号化された音声データを圧縮復号化及びアナログ化してスピーカ９へ出力する。映像信号処理部４は撮像素子１１で生成された被写体の映像信号をデジタル化及び圧縮符号化して映像データとし、送受信部２へ送る。送受信部２は音声信号処理部３から送られてくる音声データ及び映像信号処理部４から送られてくる映像データを変調及び増幅してアンテナ８へ送出し、アンテナ８で受信した音声データを復調して音声信号処理部３へ送る。また、送受信部２は発信及び着信動作を行う。記憶部５はフラッシュメモリ等のような書換可能な不揮発性メモリであり、ユーザが設定した電話帳データ、緊急連絡先の電話番号、着信音及びメロディー、キー操作音等が記憶される。操作部６はユーザがこの携帯電話端末装置を使用するときに用いる数字キー６１、オフフックキー６２、切断キー６３、緊急事態モード設定キー６４等を備えている。表示部７は液晶表示装置からなり、ユーザが操作部６から入力した電話番号やこの携帯電話端末装置の動作状態等を表示する。
【０００９】
以上の構成を有する携帯電話端末装置の通常の通話時の動作及び緊急事態モードに設定されたときの動作を説明する。
【００１０】
通常の通話を行うときは、ユーザは操作部６のオフフックキー６２を押した後、数字キー６１から通話を行おうとする相手の電話番号を入力する。制御部１は、数字キー６１から入力された電話番号に発信するための発信制御情報を生成して送受信部２へ送り、送受信部２はこの発信制御情報をアンテナ８から送信する。最寄りの携帯電話基地局はアンテナ８から送信された発信制御情報を受信し、携帯電話網及び固定電話網を経由して発信先の携帯電話端末装置又は固定電話端末装置に接続する。
【００１１】
ここで、各キーを操作したとき、制御部１の制御に基づいてキー操作音がスピーカ１０から出力される。また、オフフックキー６２を押したときはダイヤルトーンがスピーカ１０から出力され、発信先を呼び出しているときはリングバックトーンがスピーカ１０から出力される。さらに、発信先を呼び出しているときは表示部７に発信先の電話番号が表示される。
【００１２】
発信先が呼出に応答してオフフックすると、発信先と接続され、通話状態となる。通話状態では、ユーザの発した音声がマイク１０で音声信号に変換され、音声信号処理部３でデータ圧縮処理等を受け、送受信部２で変調されて、アンテナ８から送信される。アンテナ８から送信された音声信号は携帯電話網及び固定電話網を経由して、発信先の携帯電話端末装置又は固定電話端末装置に伝送され、そのスピーカや受話器で音声が出力（再生）される。発信先の相手が発した音声も同様にしてスピーカ９から出力される。この通話中は、表示部７に、通話中であること、通話継続時間等が表示される。
【００１３】
次に、ユーザが緊急事態モード設定キー６４を押したときの動作については、図２のフローチャートを参照しながら説明する。なお、このフローチャートの処理は、一旦終了した後も、携帯電話端末装置の電池が消耗するか又は取り出されるかして電源が供給されなくなる迄制御部１により繰り返し実行される。
【００１４】
制御部１は、緊急事態モード設定キー６４が押されたことを検出すると（ステップＳ１でYES ）、予め記憶部５に設定されている緊急連絡先（警察署、警備会社、自宅等）の電話番号を読み出し、その電話番号に発信するための発信制御情報を生成して送受信部２へ送ると共に、発信状態の表示を行わないように制御する（ステップＳ２）。ここで、緊急事態モード設定キー６４については、他のキーとは異なり、キー操作音がスピーカ１０から出力されないように構成されている。
【００１５】
送受信部２はこの発信制御情報をアンテナ８から送信し、最寄りの携帯電話基地局はアンテナ８から送信された発信制御情報を受信し、携帯電話網及び固定電話網を経由して緊急連絡先に接続する。このとき、制御部１は、ダイヤルトーン及びリングバックトーンがスピーカ１０から出力されないように、かつ、発信先の電話番号等が表示部７に表示されないように制御している。即ち、待機状態又は表示などが消えた電源オフの状態になる。
【００１６】
緊急連絡先が呼出に応答してオフフックすると（ステップＳ３でYES ）、通話状態となる。通話状態では、マイク１０から入力された音声を緊急連絡先へ送信する送話パスを接続すると共に撮像素子１１及び映像信号処理部４を自動的に動作させる。また、緊急連絡先からの音声がスピーカ１０から出力されないようにする。さらに、操作部６のキー操作を無効にすると共にキー操作音がスピーカ１０から出力されないようにする。また、表示部９のバックライトを消す（ステップＳ４）。つまり、マイク１０から入力された音声と撮像素子１１で撮影された映像を緊急連絡先へ送信することは可能であるが、見かけ上は電源スイッチをオフにした状態と同じである。この状態でマイク１０から入力された音声及び撮像素子１１で撮像された映像は、それぞれ音声信号処理部３及び映像信号処理部４で所定の処理を受け、送受信部２で変調及び増幅されて、アンテナ８から送信され、緊急連絡先へ送られる（ステップＳ５）。この送信動作は緊急連絡先が切断操作を行う迄継続される（ステップＳ６）。なお、緊急連絡先が切断操作を行った場合は処理が終わるが、一定時間後に再びステップＳ１から繰り返す。
【００１７】
従って、例えば拉致・誘拐等の事件に遭遇した被害者が緊急事態モード設定キー６４を押した場合、緊急連絡先への発信動作が犯人に気付かれることはなく、また接続した後は犯人の話し声等の音声、及び付近の映像が犯人に気付かれずに緊急連絡先へ送信される。さらに、送信中は切断キー６３等の操作が無効になっているため、携帯電話端末装置から送信動作を停止することはできない。また、緊急連絡先が回線を切断したとしても、緊急連絡先に対する発信を繰り返すため、緊急先への音声及び映像の送信が途絶えることはない。
【００１８】
なお、以上の実施形態では、緊急事態モードに設定するための専用キーを設けたが、専用キーを設けずに、数字キー及び記号キー（＃、＊）を用いて所定の数字及び記号を入力したときに緊急事態モードに設定するように構成してもよい。また、キーを用いる代わりに、被害者が発した緊急事態を示す音声を認識したときに緊急事態モードに設定するように構成してもよい。さらに、記憶部５に複数の緊急連絡先をそれらの優先順位と共に登録しておき、優先順位の最も高い緊急連絡先に接続できなかった場合には、次の優先順位の緊急連絡先に発信するように構成してもよい。
【図面の簡単な説明】
【００１９】
【図１】本発明の実施形態に係る携帯電話端末装置のブロック図である。
【図２】本発明の実施形態に係る携帯電話端末装置が緊急事態モードに設定されたときの動作を示すフローチャートである。
【符号の説明】
【００２０】
１・・・制御部、２・・・送受信部、３・・・音声信号処理部、６・・・操作部、７・・・表示部、１０・・・マイク、６４・・・緊急事態モード設定キー。
【図１】
2006074275.tif 000003
【図２】
2006074275.tif 000004